(57)【要約】  【課題】ＩＥＥＥ１３９４シリアルバスを介して録画再生装置と接続されたハードディスクレコーダにおいて、転送録画又はダビング録画を実行中に、ユーザの簡単な操作により、録画先の録画媒体から、ユーザの選択した番組を消去することを可能にして、事後の編集作業を省く。  【解決手段】ダビング録画の実行中に、ユーザがリモコンを操作して消去指令を入力すると（Ｓ３）、ハードディスクレコーダは、録画中の番組の番組情報を取得した上（Ｓ４）、自機の再生を停止すると共に、相手機に対して、録画の停止コマンドと取得した番組情報に基づく番組録画の消去コマンドを生成して送信し、相手機はその番組を番組先頭に遡って消去する（Ｓ５）。次に、ハードディスクレコーダは、自機の再生動作を、次の番組先頭へとスキップさせた上で再開させ、相手機に対しては録画再開コマンドを生成して送信し、相手機は録画を再開する（Ｓ６）。【選択図】図３
2006127596.tif 000002
【特許請求の範囲】
【請求項１】
ＩＥＥＥ１３９４シリアルバスを介して、映像情報の録画再生機能を有した録画再生装置及び映像モニタと接続されるハードディスクレコーダであって、自機のハードディスク内に録画された映像情報を前記映像モニタへ映像出力しつつ前記録画再生装置へと転送録画又はダビング録画可能であり、あるいは前記録画再生装置内に録画された映像情報を前記映像モニタへ映像出力しつつ自機のハードディスクへと転送録画又はダビング録画可能であるハードディスクレコーダにおいて、
自機のハードディスク内に録画された映像情報の前記録画再生装置側への転送録画中又はダビング録画中、あるいは前記録画再生装置内に録画された映像情報の自機のハードディスクへの転送録画中又はダビング録画中に、ユーザからの消去指令を受信したかどうかを検知する消去指令受信検知手段と、
前記消去指令受信検知手段により消去指令の受信を検知した場合に、現在転送録画中又はダビング録画中の映像情報に含まれる番組情報を取得して記憶する番組情報取得記憶手段と、
自機のハードディスクに録画された映像情報を前記録画再生装置へと転送録画中又はダビング録画中である場合には、自機の再生動作を停止させると共に、前記番組情報取得記憶手段に記憶された番組情報に基づいて、前記録画再生装置に対して当該番組情報に対応する番組の録画部分の消去コマンドを生成送信し、前記録画再生装置内に録画された映像情報を自機のハードディスクへと転送録画中又はダビング録画中である場合には、前記録画再生装置に対して再生動作の停止コマンドを生成送信すると共に、前記番組情報取得記憶手段に記憶された番組情報に基づいて、自機のハードディスクにおける当該番組情報に対応する番組の録画部分を消去する消去手段と、
前記自機のハードディスクに録画された映像情報を前記録画再生装置へと転送録画中又はダビング録画中である場合には、前記自機の再生動作の停止後、停止した番組の次の番組の先頭位置へスキップして再生を開始すると共に、前記録画再生装置に対して録画を再開する録画再開コマンドを生成送信し、前記録画再生装置内に録画された映像情報を自機のハードディスクへと転送録画中又はダビング録画中である場合には、前記停止コマンドの生成送信による前記録画再生装置の再生動作の停止後、停止した番組の次の番組の先頭位置へスキップして再生を開始するスキップ再生コマンドを生成送信すると共に、自機による録画を再開するスキップ録画手段とを備え、
自機のハードディスクから前記録画再生装置への転送録画中又はダビング録画中に、ユーザが消去指令を発した場合には、前記録画再生装置への録画中の番組が番組先頭に遡って消去されると共に、次の番組先頭から再び転送録画又はダビング録画が再開され、前記録画再生装置から自機のハードディスクへの転送録画中又はダビング録画中に、ユーザが消去指令を発した場合には、自機への録画中の番組が番組先頭に遡って消去されると共に、次の番組先頭から再び転送録画又はダビング録画が再開されることを特徴とするＩＥＥＥ１３９４シリアルバスに接続されるハードディスクレコーダ。
【請求項２】
ＩＥＥＥ１３９４シリアルバスを介して、映像情報の録画再生機能を有した録画再生装置と接続されるハードディスクレコーダであって、自機のハードディスク内に録画された映像情報を前記録画再生装置へと転送録画又はダビング録画可能であり、あるいは前記録画再生装置内に録画された映像情報を自機のハードディスクへと転送録画又はダビング録画可能であるハードディスクレコーダにおいて、
自機のハードディスク内に録画された映像情報の前記録画再生装置側への転送録画中又はダビング録画中、あるいは前記録画再生装置内に録画された映像情報の自機のハードディスクへの転送録画中又はダビング録画中に、ユーザからの消去指令を受信したかどうかを検知する消去指令受信検知手段と、
前記消去指令受信検知手段により消去指令の受信を検知した場合に、現在転送録画中又はダビング録画中の映像情報に含まれる番組情報を取得して記憶する番組情報取得記憶手段と、
自機のハードディスクに録画された映像情報を前記録画再生装置へと転送録画中又はダビング録画中である場合には、自機の再生動作を停止させると共に、前記番組情報取得記憶手段に記憶された番組情報に基づいて、前記録画再生装置に対して当該番組情報に対応する番組の録画部分の消去コマンドを生成送信し、前記録画再生装置内に録画された映像情報を自機のハードディスクへと転送録画中又はダビング録画中である場合には、前記録画再生装置に対して再生動作の停止コマンドを生成送信すると共に、前記番組情報取得記憶手段に記憶された番組情報に基づいて、自機のハードディスクレコーダにおける当該番組情報に対応する番組の録画部分を消去する消去手段とを備え、
自機のハードディスクから前記録画再生装置への転送録画中又はダビング録画中に、ユーザが消去指令を発した場合には、前記録画再生装置への録画中の番組が番組先頭に遡って消去され、前記録画再生装置から自機のハードディスクへの転送録画中又はダビング録画中に、ユーザが消去指令を発した場合には、自機への録画中の番組が番組先頭に遡って消去されることを特徴とするＩＥＥＥ１３９４シリアルバスに接続されるハードディスクレコーダ。
【請求項３】
前記自機のハードディスクに録画された映像情報を前記録画再生装置へと転送録画中又はダビング録画中である場合には、前記自機の再生動作の停止後、停止をした番組の次の番組の先頭位置へスキップして再生を開始すると共に、前記録画再生装置に対して録画を再開する録画再開コマンドを生成送信し、前記録画再生装置内に録画された映像情報を自機のハードディスクへと転送録画中又はダビング録画中である場合には、前記停止コマンドの生成送信による前記録画再生装置の再生動作の停止後、停止をした番組の次の番組の先頭位置へスキップして再生を開始するスキップ再生コマンドを生成送信すると共に、自機による録画を再開するスキップ録画手段をさらに備え、
自機のハードディスクから前記録画再生装置への転送録画中又はダビング録画中に、ユーザが消去指令を発した場合には、前記録画再生装置への録画中の番組が番組先頭に遡って消去されると共に、次の番組先頭から再び転送録画又はダビング録画が再開され、前記録画再生装置から自機のハードディスクへの転送録画中又はダビング録画中に、ユーザが消去指令を発した場合には、自機への録画中の番組が番組先頭に遡って消去されると共に、次の番組先頭から再び転送録画又はダビング録画が再開される請求項２に記載のＩＥＥＥ１３９４シリアルバスに接続されるハードディスクレコーダ。
【発明の詳細な説明】
【技術分野】
【０００１】
本発明は、ＩＥＥＥ１３９４シリアルバスを介して映像情報の録画再生機能を有した録画再生装置に接続されるハードディスクレコーダに関する。
【背景技術】
【０００２】
従来より、ＩＥＥＥ１３９４シリアルバス（以下、シリアルバスと略する）を介して、映像情報の録画再生機能を有した録画再生装置（ハードディスクレコーダ、ＤＶＤレコーダ、デジタルＶＣＲ等）と接続されるハードディスクレコーダが知られている。そして、この接続されたハードディスクレコーダと録画再生装置の間では、相互に映像情報の転送録画及びダビング録画が可能である。例えば、今、ハードディスクレコーダＡとハードディスクレコーダＢがシリアルバスで接続されており、ハードディスクレコーダＡがコントローラとして機能し、ハードディスクレコーダＢがターゲットとして機能するとする。ハードディスクレコーダＡへリモコン等の入力手段を用いて、例えばハードディスクレコーダＡからハードディスクレコーダＢへのダビング録画の指示を入力すれば、ハードディスクレコーダＡは自機のハードディスク内の映像情報の再生を開始すると共に、ハードディスクレコーダＢに向けて、録画を開始する制御コマンドを送信する。したがって、ハードディスクレコーダＢは、その制御コマンドをシリアルバスを介して受信し、同じくシリアルバスを介してストリームデータの形で送信される映像情報をハードディスクレコーダＡから受信してハードディスクレコーダＢ内のハードディスクへ録画を開始する。
【０００３】
ハードディスクレコーダＢからハードディスクレコーダＡへのダビング録画の指示を入力した場合は、ハードディスクレコーダＡは、まず、ハードディスクレコーダＢへ向けて再生開始の制御コマンドを送信する。すると、ハードディスクレコーダＢがその制御コマンドを受信してハードディスク内の映像情報の再生を開始する。そして、ハードディスクレコーダＡは、ハードディスクレコーダＢからシリアルバスを介して送信される映像情報を受信してハードディスクレコーダＡ内のハードディスクへ録画開始する。なお、転送録画とは、転送先の装置へ録画すると同時に、転送元の装置からは転送が終了した順に映像情報を消去していく形式の録画を言う。この転送録画についても、上述のダビング録画と同様に、シリアルバスで接続したハードディスクレコーダ間で実行可能である。
【０００４】
一方、ハードディスクレコーダ単体としてハードディスク（記録媒体）の空き容量を確保するために、番組内の部分的な消去や、非消去の制御を可能とした装置が知られている（特許文献１参照）。また、同じくハードディスクレコーダ単体として、複雑な操作を必要とすることなく編集処理（不要な録画部分の消去）が行える装置が知られている（特許文献２参照）。
【特許文献１】特開２００４−７１５５号公報
【特許文献２】特開２００３−３１９３１２号公報
【発明の開示】
【発明が解決しようとする課題】
【０００５】
上述のように、シリアルバスを介して他の録画再生装置と接続されたハードディスクレコーダでは、それらの間の転送録画又はダビング録画が簡単な操作（リモコンによるコマンド入力）で行え、ユーザの手間は大きく省けるようになっているが、転送録画又はダビング録画に付随する編集機能に関しては、以下に述べる問題点がある。
【０００６】
すなわち、転送録画又はダビング録画を行う目的は、一義的には、録画先の録画媒体内に元の録画と同一の録画（コピー）を作成するということであるが、多くは元の録画に編集を加えてユーザの好みに応じた録画を作成するという目的がある。具体的には、例えば、元の録画がテレビジョン放送をそのまま録画した３つの番組ｘ、ｙ、ｚからなる一連のものであり、ユーザはそのうち番組ｘと番組ｚは録画として保存しておきたいが、番組ｙは録画保存不要と考える場合には、一旦転送録画又はダビング録画によって作成した録画先の録画に対して、事後の別作業として番組ｙの削除をする編集作業を行う。つまり、ユーザは転送録画又はダビング録画作業に加えて、編集作業の操作を行わなければならず、時間と手間を要していたのである。
【０００７】
本発明は、上記事情に鑑み、転送録画又はダビング録画を実行中に、ユーザの簡単な操作により、録画先の録画媒体から、ユーザの選択した番組を消去することができ、転送録画又はダビング録画が終了した時点で、録画先の録画媒体にユーザの所望の番組のみを録画として残すことができるシリアルバスに接続されるハードディスクレコーダを提供することを目的とする。
【課題を解決するための手段】
【０００８】
上記目的を達成するための請求項１の発明は、ＩＥＥＥ１３９４シリアルバスを介して、映像情報の録画再生機能を有した録画再生装置及び映像モニタと接続されるハードディスクレコーダであって、自機のハードディスク内に録画された映像情報を前記映像モニタへ映像出力しつつ前記録画再生装置へと転送録画又はダビング録画可能であり、あるいは前記録画再生装置内に録画された映像情報を前記映像モニタへ映像出力しつつ自機のハードディスクへと転送録画又はダビング録画可能であるハードディスクレコーダにおいて、自機のハードディスク内に録画された映像情報の前記録画再生装置側への転送録画中又はダビング録画中、あるいは前記録画再生装置内に録画された映像情報の自機のハードディスクへの転送録画中又はダビング録画中に、ユーザからの消去指令を受信したかどうかを検知する消去指令受信検知手段と、前記消去指令受信検知手段により消去指令の受信を検知した場合に、現在転送録画中又はダビング録画中の映像情報に含まれる番組情報を取得して記憶する番組情報取得記憶手段と、自機のハードディスクに録画された映像情報を前記録画再生装置へと転送録画中又はダビング録画中である場合には、自機の再生動作を停止させると共に、前記番組情報取得記憶手段に記憶された番組情報に基づいて、前記録画再生装置に対して当該番組情報に対応する番組の録画部分の消去コマンドを生成送信し、前記録画再生装置内に録画された映像情報を自機のハードディスクへと転送録画中又はダビング録画中である場合には、前記録画再生装置に対して再生動作の停止コマンドを生成送信すると共に、前記番組情報取得記憶手段に記憶された番組情報に基づいて、自機のハードディスクにおける当該番組情報に対応する番組の録画部分を消去する消去手段と、前記自機のハードディスクに録画された映像情報を前記録画再生装置へと転送録画中又はダビング録画中である場合には、前記自機の再生動作の停止後、停止した番組の次の番組の先頭位置へスキップして再生を開始すると共に、前記録画再生装置に対して録画を再開する録画再開コマンドを生成送信し、前記録画再生装置内に録画された映像情報を自機のハードディスクへと転送録画中又はダビング録画中である場合には、前記停止コマンドの生成送信による前記録画再生装置の再生動作の停止後、停止した番組の次の番組の先頭位置へスキップして再生を開始するスキップ再生コマンドを生成送信すると共に、自機による録画を再開するスキップ録画手段とを備え、自機のハードディスクから前記録画再生装置への転送録画中又はダビング録画中に、ユーザが消去指令を発した場合には、前記録画再生装置への録画中の番組が番組先頭に遡って消去されると共に、次の番組先頭から再び転送録画又はダビング録画が再開され、前記録画再生装置から自機のハードディスクへの転送録画中又はダビング録画中に、ユーザが消去指令を発した場合には、自機への録画中の番組が番組先頭に遡って消去されると共に、次の番組先頭から再び転送録画又はダビング録画が再開されるものである。
【０００９】
請求項２の発明は、ＩＥＥＥ１３９４シリアルバスを介して、映像情報の録画再生機能を有した録画再生装置と接続されるハードディスクレコーダであって、自機のハードディスク内に録画された映像情報を前記録画再生装置へと転送録画又はダビング録画可能であり、あるいは前記録画再生装置内に録画された映像情報を自機のハードディスクへと転送録画又はダビング録画可能であるハードディスクレコーダにおいて、自機のハードディスク内に録画された映像情報の前記録画再生装置側への転送録画中又はダビング録画中、あるいは前記録画再生装置内に録画された映像情報の自機のハードディスクへの転送録画中又はダビング録画中に、ユーザからの消去指令を受信したかどうかを検知する消去指令受信検知手段と、前記消去指令受信検知手段により消去指令の受信を検知した場合に、現在転送録画中又はダビング録画中の映像情報に含まれる番組情報を取得して記憶する番組情報取得記憶手段と、自機のハードディスクに録画された映像情報を前記録画再生装置へと転送録画中又はダビング録画中である場合には、自機の再生動作を停止させると共に、前記番組情報取得記憶手段に記憶された番組情報に基づいて、前記録画再生装置に対して当該番組情報に対応する番組の録画部分の消去コマンドを生成送信し、前記録画再生装置内に録画された映像情報を自機のハードディスクへと転送録画中又はダビング録画中である場合には、前記録画再生装置に対して再生動作の停止コマンドを生成送信すると共に、前記番組情報取得記憶手段に記憶された番組情報に基づいて、自機のハードディスクレコーダにおける当該番組情報に対応する番組の録画部分を消去する消去手段とを備え、自機のハードディスクから前記録画再生装置への転送録画中又はダビング録画中に、ユーザが消去指令を発した場合には、前記録画再生装置への録画中の番組が番組先頭に遡って消去され、前記録画再生装置から自機のハードディスクへの転送録画中又はダビング録画中に、ユーザが消去指令を発した場合には、自機への録画中の番組が番組先頭に遡って消去されるものである。
【００１０】
請求項３の発明は、請求項２のＩＥＥＥ１３９４シリアルバスに接続される録画装置において、前記自機のハードディスクに録画された映像情報を前記録画再生装置へと転送録画中又はダビング録画中である場合には、前記自機の再生動作の停止後、停止をした番組の次の番組の先頭位置へスキップして再生を開始すると共に、前記録画再生装置に対して録画を再開する録画再開コマンドを生成送信し、前記録画再生装置内に録画された映像情報を自機のハードディスクへと転送録画中又はダビング録画中である場合には、前記停止コマンドの生成送信による前記録画再生装置の再生動作の停止後、停止をした番組の次の番組の先頭位置へスキップして再生を開始するスキップ再生コマンドを生成送信すると共に、自機による録画を再開するスキップ録画手段をさらに備え、自機のハードディスクから前記録画再生装置への転送録画中又はダビング録画中に、ユーザが消去指令を発した場合には、前記録画再生装置への録画中の番組が番組先頭に遡って消去されると共に、次の番組先頭から再び転送録画又はダビング録画が再開され、前記録画再生装置から自機のハードディスクへの転送録画中又はダビング録画中に、ユーザが消去指令を発した場合には、自機への録画中の番組が番組先頭に遡って消去されると共に、次の番組先頭から再び転送録画又はダビング録画が再開されるものである。
【発明の効果】
【００１１】
請求項１の発明によれば、転送録画又はダビング録画を実行中に、ユーザは映像モニタに出力される映像情報（番組）を視聴しながら、視聴中の番組が録画不要と判断した場合、リモコン等から消去指令を入力すれば、録画先の録画媒体から、当該番組を消去することができ、転送録画又はダビング録画が終了した時点で、録画先の録画媒体にユーザの所望の番組のみを録画として残すことができる。これにより、従来ユーザが編集作業に要していた時間と手間を省くことができる。
【００１２】
請求項２の発明によれば、転送録画又はダビング録画を実行中に、ユーザがリモコン等から消去指令を入力すれば、録画先の録画媒体から、選択した番組を消去することができ、転送録画又はダビング録画が終了した時点で、録画先の録画媒体にはユーザが録画保存を所望しない番組が残ることがない。これにより、従来ユーザが編集作業に要していた時間と手間を省くことができる。
【００１３】
請求項３の発明によれば、転送録画又はダビング録画を実行中に、ユーザがリモコン等から消去指令を入力すれば、録画先の録画媒体から、選択した番組を消去することができ、転送録画又はダビング録画が終了した時点で、録画先の録画媒体にユーザの所望の番組のみを録画として残すことができる。これにより、従来ユーザが編集作業に要していた時間と手間を省くことができる。
【発明を実施するための最良の形態】
【００１４】
本発明を実施するための最良の形態について図面を参照して説明する。以下の実施形態では、シリアルバスを介して接続する録画再生装置としてハードディスクレコーダを選択した場合の例について説明する。
【００１５】
図１は、本実施形態によるハードディスクレコーダ１０Ａと、このハードディスクレコーダ１０Ａとシリアルバス５０を介して接続したハードディスクレコーダ１０Ｂ及び映像モニタ３０の電気的ブロック構成を示す。本実施形態ではハードディスクレコーダ１０Ａがコンロトーラ側、ハードディスクレコーダ１０Ｂと映像モニタがターゲット側として接続されているとする。したがって、ハードディスクレコーダ１０Ｂと映像モニタ３０は、ハードディスクレコーダ１０Ａから発信されシリアルバス５０を介して送信されてくる制御コマンドにより制御される。映像モニタ３０はＩＥＥＥ１３９４インタフェース３１（以下、ＩＥＥＥ１３９４Ｉ／Ｆという）を備えており、ハードディスクレコーダ１０Ａ又はハードディスクレコーダ１０Ｂから送信された映像情報のストリームデータを受信して画面３０ａ及びスピーカ（不図示）により映像と音声を出力する。
【００１６】
以下、ハードディスクレコーダ１０Ａについて説明する。ハードディスクレコーダ１０Ａは、装置の各部を制御するためのマイクロプロセッサ１１を備えている。また、ハードディスクレコーダ１０Ａは、ハードディスク１２のドライブ機構部１３と、ＩＥＥＥ１３９４インタフェース１４（以下、ＩＥＥＥ１３９４Ｉ／Ｆという）と、転送録画及びダビング録画等の種々の動作のプログラムを格納したＲＯＭ１５と、後に詳述する番組情報等を記憶するＲＡＭ１６を備えている。ＩＥＥＥ１３９４Ｉ／Ｆ１４は、バス５０を介して制御コマンドとその応答信号の送受信、及びストリームデータの送受信を行うためのものである。さらにまた、ハードディスクレコーダ１０Ａは、リモコン２０から送信された赤外線信号を受信する赤外線信号受信部１７（ＩＲ受信部）を有している。
【００１７】
リモコン２０は、各種のキーからなるキー部２４と赤外線信号発信部２１とを有している。キー部２４には、電源キー２２、数字入力用のキー２５、カーソルキー２６、確定キー２７に加えて、転送録画又はダビング録画を指示するためのメニューを含む各種メニューの表示を指示するためのメニューキー２３が設けられている。そして、本実施形態のリモコン２０では、転送録画又はダビング録画の実行中に、その時点の番組を録画先のハードディスクから消去する指令を発信する消去キー２８が設けられている。なお、メニューキー２３が押し操作されたならば、映像モニタ３０にＯＳＤ（Ｏｎ  Ｓｃｒｅｅｎ  Ｄｉｓｐｌａｙ）機能によって、例えば「転送録画」「ダビング録画」等の文字が掲載されたメニュー画面が表示され、それらの表示の中から所望の動作をカーソルキー２６を操作することによって選択し、確定キー２７を操作することによって実行開始するようになっている。
【００１８】
ハードディスクレコーダ１０Ｂは、基本的にハードディスクレコーダ１０Ａと同一の構造を有しており、同一の番号を付することによって説明を省略する。
【００１９】
ここで、ハードディスクレコーダ１０Ａのハードディスク１２内に録画された映像情報を、ハードディスク１０Ｂのハードディスク１２内へとダビング録画する場合の、各ハードディスク内での録画領域の変化について、図２に基づいて説明する。
【００２０】
今、ハードディスクレコーダ１０Ａのハードディスク１２内には、３つの番組ｘ、ｙ、ｚが一連に録画されているとして、この状態でダビング録画を実行すると、ハードディスクレコーダ１０Ａは３つの番組を順に再生し、ハードディスクレコーダ１０Ｂは、その映像情報をシリアルバス５０を介して受信し、自身のハードディスク１２へ録画していく。図２（ａ）は、番組ｙの途中まで再生が進み、ハードディスクレコーダ１０Ｂのハードディスク１２に、番組ｙの途中までの部分が録画された状態を示す。なお、本実施形態では、シリアルバス５０に接続した映像モニタ３０によって現在再生中の映像が視聴できる。
【００２１】
本実施形態のハードディスクレコーダ１０Ａでは、図２（ａ）の時点において、ユーザによりリモコン２０の消去キー２８が押し操作されたとすると、ハードディスクレコーダ１０Ｂにおいて途中まで録画された番組ｙが番組の先頭に遡って消去され、ハードディスクレコーダ１０Ａでは再生位置が番組ｚの先頭までスキップする（図２（ｂ））。
【００２２】
そして、ハードディスクレコーダ１０Ａでは番組ｚの再生が始まり、ハードディスクレコーダ１０Ｂでは番組ｚの録画が行われ（図２（ｃ））、番組ｚの終了までにユーザが消去指令を発しなければ、番組ｚは消去されず、結局、ハードディスクレコーダ１０Ｂのハードディスクには番組ｘと番組ｚが録画された状態となり、ハードディスクレコーダ１０Ａのハードディスクには元の番組ｘ、ｙ、ｚが残る（図２（ｄ））。
【００２３】
次に、図３を参照して、上述の場合（ハードディスクレコーダ１０Ａからハードディスクレコーダ１０Ｂへダビング録画する場合）の、ハードディスクレコーダ１０Ａにおける処理手順について詳細に説明する。ハードディスクレコーダ１０Ａのマイクロプロセッサ１１は、ハードディスクレコーダ１０Ｂがバス５０を介して接続されたことを検知すると（Ｓ１でＹＥＳ）、ユーザがリモコン２０を用いてダビング録画の指示をしたか否かを、繰返して検知する（Ｓ２）。指示を検知すると（Ｓ２でＹＥＳ）、自機（ハードディスクレコーダ１０Ａ）は再生を開始すると共に、ハードディスクレコーダ１０Ｂへは録画を開始させる制御コマンドを送信して録画を開始させる（ダビング録画を開始させる）。ユーザは、この状態で映像モニタ３０によって現在再生中の映像を視聴できる。そして、再生が進み、番組が進行していって（前述の例であれば、番組ｘから番組ｙへ）、ユーザが現在映像モニタ３０で視聴中の番組が録画不要であると判断したならば、ユーザはリモコン２０の消去キー２８を押し操作する（Ｓ３でＹＥＳ）。すると、マイクロプロセッサ１１は、現在再生中の番組の番組情報を取得し、ＲＡＭ１６に記憶する（Ｓ４）。番組情報とは、各番組ごとにその映像情報内に組み込まれた番組を識別する情報である。次に、マイクロプロセッサ１１は、自機（ハードディスクレコーダ１０Ａ）の再生を停止すると共に、相手機（ハードディスクレコーダ１０Ｂ）に対して、録画の停止と録画中の番組の番組先頭にまで遡った消去を指示する消去コマンドを生成して送信する（Ｓ５）。消去コマンドは、具体的には、ＲＡＭ１６に記憶された番組情報に対応する録画部分の消去を実行させるコマンドである。この消去コマンドを受信したハードディスクレコーダ１０Ｂは、直ちに消去コマンドに含まれる番組情報に基づき、その番組の録画部分を消去する。次に、マイクロプロセッサ１１は、自機（ハードディスクレコーダ１０Ａ）の再生動作を、次の番組先頭へとスキップさせた上で再開させ、相手機（ハードディスクレコーダ１０Ｂ）に対しては録画を再開させる録画再開コマンドを生成して送信する。録画再開コマンドを受信したハードディスクレコーダ１０Ｂは直ちに録画を再開する（Ｓ６）。なお、次の番組先頭へのスキップ動作は、各番組の映像情報内に組み込まれた番組情報に基づいて行われる。
【００２４】
上記処理手順を図２に示した図に沿って説明する。ステップＳ３の消去指示がなされた時点の状態が図２（ａ）であり、ユーザにより、番組ｙのダビング録画中に消去キー２８が押し操作されたことになる。ステップＳ５の自機の再生停止及び相手機の録画停止と当該番組の消去がなされた状態が図２（ｂ）であり、ハードディスクレコーダ１０Ｂのハードディスク１２から番組ｙの録画が先頭に遡って消去される。そして、ステップＳ６の自機の次番組へのスキップ再生と相手機の録画再開がなされた状態が図２（ｃ）であり、ハードディスクレコーダ１０Ｂのハードディスクには番組ｘに続けて番組ｚが録画される。
【００２５】
なお、以上の説明では、ハードディスクレコーダ１０Ａからハードディスクレコーダ１０Ｂへのダビング録画を行う場合を例に挙げて説明したが、もちろんハードディスクレコーダ１０Ｂからハードディスクレコーダ１０Ａへのダビング録画を行うことも可能であり、ダビング録画に代えて転送録画を実行することも可能である。ハードディスクレコーダ１０Ｂからハードディスクレコーダ１０Ａへダビング録画する場合は、前述の処理手順の中で、ステップＳ５の内容を、相手機への再生停止コマンドの生成送信と、自機の録画停止及び当該番組の消去に変更し、ステップＳ６の内容を、相手機の次番組へのスキップ再生と自機の録画再開に変更すればよい。
【００２６】
さらに、ハードディスクレコーダ１０Ｂに代えて録画再生機能を有するＤＶＤレコーダ又はデジタルＶＣＲを接続してもよい。
【図面の簡単な説明】
【００２７】
【図１】本発明の一実施形態に係るハードディスクレコーダにＩＥＥＥ１３９４シリアルバスを介してハードディスクレコーダと映像モニタを接続した構成の電気的ブロックを示す図。
【図２】上記ハードディスクレコーダによるダビング録画時のハードディスクの録画領域の変化を示す説明図。
【図３】上記ハードディスクレコーダによるダビング録画の処理手順を示すフローチャート。
【符号の説明】
【００２８】
１０Ａ  ハードディスクレコーダ
１０Ｂ  ハードディスクレコーダ
１１  マイクロプロセッサ（消去指令受信検知手段、消去手段、スキップ録画手段）
１２  ハードディスク
１６  ＲＡＭ
２０  リモコン
２８  消去キー
３０  映像モニタ
５０  ＩＥＥＥ１３９４シリアルバス
【図１】
2006127596.tif 000003
【図２】
2006127596.tif 000004
【図３】
2006127596.tif 000005